(57)【要約】【課題】被梱包物及び外装材の形状、寸法が予め決められている場合であっても、外装材内のスペースを有効に活用して、被梱包物同士が直接触れることないように仕切った状態で、より多くの被梱包物を収容させることができる仕切り材を提供する。【解決手段】仕切り材において、第１の方向に沿って配置される平板状の複数の第１の部材１０と、第１の方向に沿って配置される平板状の複数の第２の部材２０と、第２の方向に沿って配置される平板状の複数の第３の部材３０と、第２の方向に沿って配置される平板状の複数の第４の部材４０と、を備える。複数の第１の部材１０は、複数の第３の部材３０及び複数の第４の部材４０の両方と交差して配置される。複数の第２の部材２０は、複数の第３の部材３０と交差して配置され、かつ、複数の第４の部材４０とは交差せずに配置される。【選択図】図１
2019006446.tif 000002
【特許請求の範囲】
【請求項１】
第１の方向に沿って配置される平板状の複数の第１の部材と、
前記第１の方向に沿って配置される平板状の複数の第２の部材と、
第２の方向に沿って配置される平板状の複数の第３の部材と、
前記第２の方向に沿って配置される平板状の複数の第４の部材と、を備え、
前記複数の第１の部材は、前記複数の第３の部材及び前記複数の第４の部材の両方と交差して配置され、
前記複数の第２の部材は、前記複数の第３の部材と交差して配置され、かつ、前記複数の第４の部材とは交差せずに配置される仕切り材。
【請求項２】
前記第１の方向と前記第２の方向とは、直交する請求項１に記載の仕切り材。
【請求項３】
前記第１の部材と前記第３の部材及び前記第４の部材の一方又は両方とに囲まれて形成される第１の収容部と、前記第２の部材と前記第３の部材とに囲まれて形成される第２の収容部とは、同形状である請求項１又は請求項２に記載の仕切り材。
【請求項４】
前記第１の収容部は、仕切り材の中心について点対称に配置され、
前記第２の収容部は、仕切り材の前記中心について点対称に配置される請求項３に記載の仕切り材。
【請求項５】
前記複数の第１の部材、前記複数の第２の部材、前記複数の第３の部材及び前記複数の第４の部材のそれぞれは、他の部材と交差する部分に形成されたスリット同士を係合させて組み合わされる請求項１から請求項４のいずれか一項に記載の仕切り材。
【請求項６】
前記複数の第１の部材、前記複数の第２の部材、前記複数の第３の部材及び前記複数の第４の部材のそれぞれは、段ボールである請求項１から請求項５のいずれか一項に記載の仕切り材。
【発明の詳細な説明】
【技術分野】
【０００１】
この発明は、仕切り材に関するものである。
【背景技術】
【０００２】
縦板と横板とをそれぞれ複数枚垂直方向に交差させて集合枠（仕切り材）を形成し、この集合枠の各区画のそれぞれに円筒部を横にした圧縮機（被梱包物）を収納する梱包装置が知られている（例えば、特許文献１参照）。
【先行技術文献】
【特許文献】
【０００３】
【特許文献１】特開２０００−２３８８８３号公報
【発明の概要】
【発明が解決しようとする課題】
【０００４】
運搬及び保管時の効率及び利便性、特に、輸送に使用するコンテナへの積載効率を考慮して、仕切り材と被梱包物とを収容する外装材の外形及び寸法は、予め決められている場合がある。このような場合に、特許文献１に示されるような仕切り材（集合枠）は、板材を格子状に組み合わせた井桁形状であるため、被梱包物の形状及び寸法によっては、外装材内に被梱包物を収容できない無駄なスペースが大きくなってしまう。
【０００５】
この発明は、このような課題を解決するためになされたものである。その目的は、被梱包物の形状及び寸法、並びに複数の被梱包物を収容する外装材の形状及び寸法のいずれもが予め決められている場合であっても、外装材内のスペースを有効に活用して、それぞれの被梱包物同士が直接触れることのないように仕切った状態で、より多くの被梱包物を収容させることができる仕切り材を得ることにある。
【課題を解決するための手段】
【０００６】
この発明に係る仕切り材は、第１の方向に沿って配置される平板状の複数の第１の部材と、前記第１の方向に沿って配置される平板状の複数の第２の部材と、第２の方向に沿って配置される平板状の複数の第３の部材と、前記第２の方向に沿って配置される平板状の複数の第４の部材と、を備え、前記複数の第１の部材は、前記複数の第３の部材及び前記複数の第４の部材の両方と交差して配置され、前記複数の第２の部材は、前記複数の第３の部材と交差して配置され、かつ、前記複数の第４の部材とは交差せずに配置される。
【発明の効果】
【０００７】
この発明に係る仕切り材によれば、被梱包物の形状及び寸法、並びに複数の被梱包物を収容する外装材の形状及び寸法のいずれもが予め決められている場合であっても、外装材内のスペースを有効に活用して、それぞれの被梱包物同士が直接触れることないように仕切った状態で、より多くの被梱包物を収容させることができるという効果を奏する。
【図面の簡単な説明】
【０００８】
【図１】この発明の実施の形態１に係る仕切り材の斜視図である。
【図２】この発明の実施の形態１に係る仕切り材の分解斜視図である。
【図３】この発明の実施の形態１に係る仕切り材を使用した状態の上面図である。
【図４】この発明の実施の形態２に係る仕切り材の斜視図である。
【図５】この発明の実施の形態２に係る仕切り材の分解斜視図である。
【図６】この発明の実施の形態２に係る仕切り材を使用した状態の上面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図３は、この発明の実施の形態１に係るもので、図１は仕切り材の斜視図、図２は仕切り材の分解斜視図、図３は仕切り材を使用した状態の上面図である。
【００１１】
この発明の実施の形態１に係る仕切り材１は、図１に示すように、第１の部材１０、第２の部材２０、第３の部材３０及び第４の部材４０を備えている。第１の部材１０は、複数設けられる。図１に示す構成例では、仕切り材１は、２つの第１の部材１０を備えている。第１の部材１０は、細長い矩形状を呈する平板状の部材である。第１の部材１０は、その長手が第１の方向に沿うようして立てて配置される。第１の方向は、図１中に矢印Ａで示す方向である。
【００１２】
第２の部材２０は、複数設けられる。図１に示す構成例では、仕切り材１は、２つの第２の部材２０を備えている。第２の部材２０は、細長い矩形状を呈する平板状の部材である。第２の部材２０は、その長手が前述した第１の方向すなわち図１中に矢印Ａで示す方向に沿うようして立てて配置される。したがって、第１の部材１０の長手と第２の部材２０の長手とは、平行に配置される。ここでは、第１の部材１０と第２の部材２０とは同形状である。したがって、例えば、第１の部材１０の長手方向の寸法と、第２の部材２０の長手方向の寸法とは、同じである。
【００１３】
第３の部材３０は、複数設けられる。図１に示す構成例では、仕切り材１は、４つの第３の部材３０を備えている。第３の部材３０は、細長い矩形状を呈する平板状の部材である。第３の部材３０は、その長手が第２の方向に沿うようして立てて配置される。
【００１４】
第２の方向は、図１中に矢印Ｂで示す方向である。第２の方向は、前述した第１の方向とは異なる方向である。ここでは、図１中に矢印Ａで示す第１の方向と、図１中に矢印Ｂで示す第２の方向とは、直交している。なお、この第２の方向と前述した第１の方向との両方に対して直交する方向を、以降では「高さ方向」と呼ぶことがある。
【００１５】
第４の部材４０は、複数設けられる。図１に示す構成例では、仕切り材１は、４つの第４の部材４０を備えている。第４の部材４０は、細長い矩形状を呈する平板状の部材である。第４の部材４０は、その長手が前述した第２の方向すなわち図１中に矢印Ｂで示す方向に沿うようして立てて配置される。したがって、第３の部材３０の長手と第４の部材４０の長手とは、平行に配置される。第４の部材４０の長手方向の寸法は、第３の部材３０の長手方向の寸法よりも短い。
【００１６】
複数の第１の部材１０の高さ方向の寸法、複数の第２の部材２０の高さ方向の寸法、複数の第３の部材３０の高さ方向の寸法及び複数の第４の部材４０の高さ方向の寸法は、全て同一である。
【００１７】
複数の第１の部材１０は、複数の第３の部材３０及び複数の第４の部材４０の両方と交差して配置される。複数の第２の部材２０は、複数の第３の部材３０と交差して配置され、かつ、複数の第４の部材４０とは交差せずに配置される。したがって、必然的に、複数の第３の部材３０は、複数の第１の部材１０及び複数の第２の部材２０の両方と交差して配置される。そして、複数の第４の部材４０は、複数の第１の部材１０と交差して配置され、かつ、複数の第２の部材２０とは交差せずに配置される。
【００１８】
図１に示す構成例では、２つの第２の部材２０は、前述の第２の方向における一端側に配置されている。また、３つの第３の部材３０が前述の第１の方向における一端側に配置され、残りの１つの第３の部材３０が前述の第１の方向における他端側に配置される。そして、４つの第４の部材４０は、一端側の３つの第３の部材３０と他端側の１つの第３の部材３０との間に配置されている。
【００１９】
隣り合う２つの第３の部材３０と２つの第１の部材１０とに囲まれた領域には、第１の収容部１００が形成される。また、隣り合う２つの第４の部材４０と２つの第１の部材１０とに囲まれた領域にも、第１の収容部１００が形成される。さらに、隣り合う第３の部材３０及び第４の部材４０と２つの第１の部材１０とに囲まれた領域にも、第１の収容部１００が形成される。以上をまとめると、第１の部材１０と第３の部材３０及び第４の部材４０の一方又は両方とに囲まれた領域には、第１の収容部１００が形成される。
【００２０】
また、間に第４の部材４０を挟んで配置された２つの第３の部材３０と２つの第２の部材２０とに囲まれた領域には、第２の収容部２００が形成される。すなわち、第２の部材２０と第３の部材３０とに囲まれた領域には、第２の収容部２００が形成される。
【００２１】
図１に示す構成例では、第１の収容部１００は、平面視で、前述した第２の方向である矢印Ｂの方向に細長い矩形状を呈する。また、第２の収容部２００は、平面視で、前述した第１の方向である矢印Ａの方向に細長い矩形状を呈する。
【００２２】
この構成例では、２つの第２の部材２０の間隔、隣り合う２つの第３の部材３０の間隔、隣り合う２つの第４の部材４０の間隔、及び、隣り合う第３の部材３０と第４の部材４０との間隔は、全て等しい。また、２つの第１の部材１０の間隔と、間に第４の部材４０を挟んで配置された２つの第３の部材３０の間隔とが等しくなっている。したがって、それぞれの第１の収容部１００は、同形状である。そして、第１の収容部１００と第２の収容部２００も同形状である。
【００２３】
図２に示すように、複数の第１の部材１０には、第１のスリット１１が形成されている。１つの第１の部材１０には、複数の第１のスリット１１が形成される。それぞれの第１のスリット１１は、第１の部材１０の高さ方向に沿って形成される。それぞれの第１のスリット１１は、第１の部材１０の高さ方向の一端にまで達している。それぞれの第１のスリット１１は、第１の部材１０の高さ方向の他端にまでは達していない。図２の例では、第１のスリット１１は、第１の部材１０の下端にまで達しており、上端にまでは達していない。第１のスリット１１の長さは、例えば、第１の部材１０の高さ方向の寸法の半分である。
【００２４】
第１のスリット１１は、少なくとも、第１の部材１０が第３の部材３０及び第４の部材４０と交差する位置に形成される。前述したように、隣り合う２つの第３の部材３０の間隔、隣り合う２つの第４の部材４０の間隔、及び、隣り合う第３の部材３０と第４の部材４０との間隔は、全て等しい。このため、第１のスリット１１は、等間隔に配置されている。
【００２５】
複数の第２の部材２０には、第２のスリット２１が形成されている。１つの第２の部材２０には、複数の第２のスリット２１が形成される。それぞれの第２のスリット２１は、第２の部材２０の高さ方向に沿って形成される。それぞれの第２のスリット２１は、第２の部材２０の高さ方向の前記一端にまで達している。それぞれの第２のスリット２１は、第２の部材２０の高さ方向の前記他端にまでは達していない。図２の例では、第２のスリット２１は、第２の部材２０の下端にまで達しており、上端にまでは達していない。第２のスリット２１の長さは、例えば、第２の部材２０の高さ方向の寸法の半分である。
【００２６】
第２のスリット２１は、少なくとも、第２の部材２０が第３の部材３０と交差する位置に形成される。なお、第２の部材２０が他の部材とは交差しない位置に第２のスリット２１を設けてもよい。具体的に例えば、第１の部材１０における第１のスリット１１と同様に、第２の部材２０においても第２のスリット２１を等間隔に配置させてもよい。このようにすることで、第１の部材１０と第２の部材２０とを共通化することができる。すなわち、スリットまで含めて同一形状の部材を、第１の部材１０と第２の部材２０のどちらにも用いることができる。
【００２７】
複数の第３の部材３０には、第３のスリット３１が形成されている。１つの第３の部材３０には、複数の第３のスリット３１が形成される。それぞれの第３のスリット３１は、第３の部材３０の高さ方向に沿って形成される。それぞれの第３のスリット３１は、第３の部材３０の高さ方向の前記他端にまで達している。それぞれの第３のスリット３１は、第３の部材３０の高さ方向の前記一端にまでは達していない。図２の例では、第３のスリット３１は、第３の部材３０の上端にまで達しており、下端にまでは達していない。第３のスリット３１の長さは、例えば、第３の部材３０の高さ方向の寸法の半分である。第３のスリット３１は、少なくとも、第３の部材３０が第１の部材１０及び第２の部材２０と交差する位置に形成される。
【００２８】
複数の第４の部材４０には、第４のスリット４１が形成されている。１つの第４の部材４０には、複数の第４のスリット４１が形成される。それぞれの第４のスリット４１は、第４の部材４０の高さ方向に沿って形成される。それぞれの第４のスリット４１は、第４の部材４０の高さ方向の前記他端にまで達している。それぞれの第４のスリット４１は、第４の部材４０の高さ方向の前記一端にまでは達していない。図２の例では、第４のスリット４１は、第４の部材４０の上端にまで達しており、下端にまでは達していない。第４のスリット４１の長さは、例えば、第４の部材４０の高さ方向の寸法の半分である。第４のスリット４１は、少なくとも、第４の部材４０が第１の部材１０と交差する位置に形成される。
【００２９】
以上のように構成された複数の第１の部材１０、複数の第２の部材２０、複数の第３の部材３０及び複数の第４の部材４０のそれぞれは、他の部材と交差する部分に形成されたスリット同士を係合させて組み合わされる。
【００３０】
具体的には、第１の部材１０と第３の部材３０とが交差する箇所では、第１の部材１０の第１のスリット１１と第３の部材３０の第３のスリット３１とが係合される。また、第１の部材１０と第４の部材４０とが交差する箇所では、第１の部材１０の第１のスリット１１と第４の部材４０の第４のスリット４１とが係合される。そして、第２の部材２０と第３の部材３０とが交差する箇所では、第２の部材２０の第２のスリット２１と第３の部材３０の第３のスリット３１とが係合される。
【００３１】
以上のように構成された仕切り材１は、図３にその一例を示すように、外装材２とともに用いられる。外装材２は、例えば、上面が開閉可能な直方体型の箱状を呈する。図３では、外装材２の上面の図示を省略している。なお、外装材２の上面は必ずしも設けられていなくともよい。
【００３２】
箱状の外装材２の内側には、仕切り材１が入れられる。仕切り材１の第１の収容部１００の内側には、被梱包物３が入れられる。仕切り材１の第２の収容部２００の内側にも、被梱包物３が入れられる。第１の収容部１００及び第２の収容部２００の形状及び大きさは、被梱包物３の形状及び大きさに合わせて調整されている。ここでは、被梱包物３は、具体的に例えば電動圧縮機のシャフト等の細長い物である。したがって、前述したように、第１の収容部１００及び第２の収容部２００の形状は細長い矩形状である。
【００３３】
前述したように、第１の収容部１００は同形状であるため、複数の第１の収容部１００のそれぞれの内側に被梱包物３を入れることで複数の被梱包物３を整列した状態で外装材２内に収容することができる。また、第２の収容部２００は、第１の収容部１００と同形状であるため、第２の収容部２００にも被梱包物３を入れることができる。
【００３４】
ここで、運搬及び保管時の効率及び利便性、特に、輸送に使用するコンテナへの積載効率を考慮して、外装材２の外形及び寸法は、予め決められている場合が多い。このような場合に、被梱包物３が細長い形状であると、外装材２内において、被梱包物３を短手方向に複数並べることは容易である。一方、外装材２内において、被梱包物３を長手方向に複数並べようとすると、被梱包物３の長手方向の一端から外装材２の内壁までの寸法が被梱包物３の長手方向の寸法には足りなくなり、外装材２内に被梱包物３を長手方向に並べて収容できなくなってしまう。
【００３５】
このような場合であっても、この発明の実施の形態１に係る仕切り材１によれば、外装材２内のスペースを有効に活用して、外装材２内を仕切り、より多くの被梱包物３を収容させることが可能である。すなわち、被梱包物３の形状及び寸法、並びに、複数の被梱包物３を収容する外装材２の形状及び寸法のいずれもが予め決められている場合であっても、それぞれの被梱包物３同士が直接触れることないように仕切った状態で、より多くの被梱包物３を外装材２に収容させることができ、ひいては輸送効率を向上することが可能である。
【００３６】
また、図３に示す例では、第１の部材１０の長手方向の寸法及び第２の部材２０の長手方向の寸法は、いずれも外装材２の矢印Ａに沿った内法と等しい。また、第３の部材３０の長手方向の寸法は、外装材２の矢印Ｂに沿った内法と等しい。このため、外装材２の中で仕切り材１が動いてしまうことを抑制することができる。したがって、仕切り材１によって外装材２内で複数の被梱包物３を確実に保持することができる。
【００３７】
なお、複数の第１の部材１０、複数の第２の部材２０、複数の第３の部材３０及び複数の第４の部材４０のそれぞれは、例えば、段ボールからなる。ただし、これらの部材の素材は段ボールに限られない。他に例えば、紙、プラスチック、発泡スチロール等でもよい。
【００３８】
実施の形態２．
図４から図６は、この発明の実施の形態２に係るもので、図４は仕切り材の斜視図、図５は仕切り材の分解斜視図、図６は仕切り材を使用した状態の上面図である。
【００３９】
ここで説明する実施の形態２は、前述した実施の形態１の構成において、第１の収容部及び第２の収容部のそれぞれを、仕切り材の中心について点対称に配置したものである。以下、この実施の形態２に係る仕切り材について、実施の形態１の構成を元にした場合を例に挙げ、実施の形態１との相違点を中心に説明する。
【００４０】
この発明の実施の形態２として挙げる例においては、図４及び図５に示すように、仕切り材１は、２つの第１の部材１０と、４つの第２の部材２０と、４つの第３の部材３０と、４つの第４の部材４０とを備えている。
【００４１】
この実施の形態２においても、実施の形態１と同様に、複数の第１の部材１０は、複数の第３の部材３０及び複数の第４の部材４０の両方と交差して配置される。そして、複数の第２の部材２０は、複数の第３の部材３０と交差して配置され、かつ、複数の第４の部材４０とは交差せずに配置される。
【００４２】
ここで説明する実施の形態２の構成例では、４つの第２の部材２０のうちの２つが、前述の第２の方向すなわち矢印Ｂの方向における一端側に配置される。また、残りの２つの第２の部材２０が前述の第２の方向の他端側に配置される。そして、２つの第１の部材１０は、一端側の２つの第２の部材２０と他端側の２つの第２の部材２０との間に配置される。
【００４３】
また、４つの第３の部材３０のうちの２つが、前述の第１の方向すなわち矢印Ａの方向における一端側に配置され、残りの２つの第３の部材３０が前述の第１の方向における他端側に配置される。そして、４つの第４の部材４０は、一端側の２つの第３の部材３０と他端側の２つの第３の部材３０との間に配置されている。
【００４４】
この実施の形態２においても、実施の形態１と同様に、第１の部材１０と第３の部材３０及び第４の部材４０の一方又は両方とに囲まれた領域に、第１の収容部１００が形成される。そして、間に第４の部材４０を挟んで配置された２つの第３の部材３０と２つの第２の部材２０とに囲まれた領域には、第２の収容部２００が形成される。
【００４５】
ここで説明する実施の形態２の構成例においては、第２の収容部２００が２つ形成される。これらの２つの第２の収容部２００は、前述の第２の方向における両端にそれぞれ配置されている。そして、２つの第２の収容部２００は、仕切り材１の中心点について点対称な位置に配置される。また、第１の収容部１００も、仕切り材１の中心点について点対称な位置に配置されている。
【００４６】
したがって、図６に示すように、第１の収容部１００及び第２の収容部２００の全てに、同じ被梱包物３を収容した場合、重量分布が仕切り材１の中心点について点対称となり、仕切り材１の中心点が重心となる。このため、実施の形態１と同様の効果を奏することができるのに加えて、さらに、外装材２を安定して運搬及び積載することができ、荷崩れ、落下等の発生を抑制することが可能である。
【００４７】
なお、この構成例では、仕切り材１は、矢印Ａの方向に平行な対称軸について線対称な形状であり、かつ、矢印Ｂの方向に平行な対称軸についても線対称な形状である。したがって、さらに外装材２を安定して運搬及び積載することが可能である。
他の構成については実施の形態１と同様であり、ここでは、その説明を省略する。
【００４８】
なお、以上においては、第１の収容部１００と第２の収容部２００とが同形状である場合について説明した。しかし、第１の収容部１００と第２の収容部２００とは、必ずしも同形状でなくともよい。第１の収容部１００と第２の収容部２００とが異なる形状とすれば、異なる形状の被梱包物３を効率的に外装材２内に収容することができる。
【００４９】
また、仕切り材１を構成する第１の部材１０、第２の部材２０、第３の部材３０及び第４の部材４０の数、第１の収容部１００及び第２の収容部２００の数、第１の収容部１００及び第２の収容部２００の配置についても、これまでに説明した構成例に限られない。外装材２及び被梱包物３それぞれの形状及び大きさに合わせて、各部材、各収容部のそれぞれの数及び配置を適宜に変更することが好ましい。
【符号の説明】
【００５０】
１    仕切り材
２    外装材
３    被梱包物
１０    第１の部材
１１    第１のスリット
２０    第２の部材
２１    第２のスリット
３０    第３の部材
３１    第３のスリット
４０    第４の部材
４１    第４のスリット
１００    第１の収容部
２００    第２の収容部
【図１】
2019006446.tif 000003
【図２】
2019006446.tif 000004
【図３】
2019006446.tif 000005
【図４】
2019006446.tif 000006
【図５】
2019006446.tif 000007
【図６】
2019006446.tif 000008